(57)【要約】【課題】  物品を梱包する梱包部材において、上面及び／又は側面から荷重が加わっても箱部が変形することを低コストで防止することができると共に、物品を簡単に段ボール箱部へ収納することができる梱包部材を提供する。【解決手段】  段ボール板を折り曲げることによって直方体に形成された段ボール箱部と、物品を保持し前記段ボール箱部に収納される弾性体とを備え、前記段ボール箱部は、対向する側面を内側に押圧することによって内側に突出する突起部となる部分を側面に備えると共に当該突起部の形状を保持する保持手段を備える。【選択図】      図１
2006143317.tif 000002
【特許請求の範囲】
【請求項１】
物品を梱包する梱包部材において、
段ボール板を折り曲げることによって直方体に形成された段ボール箱部と、物品を保持し前記段ボール箱部に収納される弾性体とを備え、
前記段ボール箱部は、対向する側面を内側に押圧することによって内側に突出する突起部となる部分を側面に備えると共に当該突起部の形状を保持する保持手段を備えることを特徴とする梱包部材。
【請求項２】
請求項１記載の梱包部材において、前記保持手段は、両面接着テープであることを特徴とする梱包部材。
【請求項３】
請求項１記載の梱包部材において、前記保持手段は、着脱自在なテープ部材であることを特徴とする梱包部材。
【発明の詳細な説明】
【技術分野】
【０００１】
本発明は、物品を梱包する梱包部材に関する。
【背景技術】
【０００２】
従来、光ディスク再生装置や音声信号増幅装置等の装置を輸送する場合、装置に加わる外部からの衝撃を緩和するための衝撃緩衝用の梱包部材が広く使われている。
図４は、従来の梱包部材と梱包される物品の一例を示す斜視図である。梱包部材１００は、２つの弾性体５ａ、５ｂ及び段ボール箱部２００を備える。
【０００３】
図４に示すように、段ボール箱部２００は、段ボール板から成る上面が開口した直方体の箱で、直方体の前面、後面、右側面及び左側面（４側面）を形成する４つの側面板３００ａ〜３００ｄを備え、前面の側面板３００ｃ及び後面の側面板３００ａの上端辺には、それぞれの上端辺を軸に折り曲げることができる外フラップ３１０ｂ及び３１０ａを備え、右側面の側面板３００ｂ及び左側面の側面板３００ｄの上端辺にはそれぞれの上端辺を軸に折り曲げることができる内フラップ３２０ａ及び内フラップ３２０ｂを備える。前後それぞれの外フラップ３１０ａ、３１０ｂは、双方を内側に略直角に折り曲げると、互いに当接又は近接し段ボール箱部２００の上面を閉じる。
【０００４】
弾性体５ａ、５ｂは、直方体を形成する発泡スチロール材から成り、一側面に凹部５０ａ、５０ｂを備える。凹部５０ａ、５０ｂの上下の高さ及び左右の幅は、物品８の上下の高さ及び左右の幅より僅かに大きい。
【０００５】
物品８を梱包するには、図４に示すように、先ず、物品８の右側面及び左側面を弾性体５の凹部５０ａ及び凹部５０ｂに嵌合させ、弾性体５を嵌合させた物品８を段ボール箱部２００の内部に収納する。次に、段ボール箱部２００の左右の内フラップ３２０ａ、３２０ｂを内側に折り曲げた後、前後の外フラップ３１０ａ、３１０ｂを内側に折り曲げる。次に、接着テープを前後の外フラップ３１０ａ、３１０ｂと段ボール箱部２００の左右側面とに亘って貼り付ける。
以上により、梱包部材２００は、物品８を梱包する。
【０００６】
このように、従来の梱包部材１００は、図４に示すように、物品８を保持した弾性体５ａ、５ｂを物品８と共に段ボール箱部２００へ梱包することにより、搬送中に不注意で物品８を梱包した段ボール箱部２００を落下させてしまい、箱部３の表面から大きな衝撃を受けた場合でも、弾性体５ａ、５ｂがこの衝撃を吸収することにより、物品８に加わる衝撃を緩和する。よって、梱包部材１００は、外部からの衝撃に対して梱包した物品８を保護することができる。
【０００７】
しかし、物品８を梱包した複数の梱包部材１００を何段にも積み重ねた状態で長時間保存する場合、積み重ねた梱包部材１００の重量によって段ボール箱部２００が変形し、段ボール箱部２００が潰れてしまうことがある。このような、段ボール箱部２００の変形を防止する手段として、段ボール箱部の内側に補強用の胴枠を備える梱包部材がある（例えば、特許文献１参照。）。段ボール箱部の内側に補強用の胴枠を備えることによって、梱包部材を何段にも積み重ねた場合でも段ボール箱部が変形することを防止することができる。また、従来の梱包部材の他の例として、段ボール箱の内側の一部分に補強用の部材を備える梱包部材がある（例えば、特許文献２参照。）。段ボール箱部の内側の一部分に補強用の部材を備えることによって、梱包部材を何段にも積み重ねた場合でも段ボール箱部が変形することを防止することができる。
【０００８】
【特許文献１】特開平１０−１２９６５１号公報
【特許文献２】実開平７−２２９１４号公報
【発明の開示】
【発明が解決しようとする課題】
【０００９】
しかしながら、このような梱包部材は、段ボール箱部や弾性体以外に胴枠用の部材や補強部材が別途必要となり、梱包部材のコストが上昇してしまう。
また、従来の梱包部材は、段ボール箱内に収納した物品が搬送中にガタつかないようにするために、物品に弾性体を嵌合させた状態での外寸を段ボール箱の内寸とほぼ同じにしておく（段ボール箱の内寸より僅かに小さくしておく）必要がある。このため、段ボール箱部の上方を開口させ、弾性体を左右側面に嵌合させた物品を段ボール箱部に収納しようとする際、物品に嵌合した弾性体の外端と段ボール箱部の内側の側壁の位置が少しでもズレていると、弾性体の下端が段ボール箱部の上端に引っ掛かってしまい、段ボール箱部の内部に物品をスムーズに収納することが困難となる場合がある。特に、重量の大きな物品を１人で持ち上げた状態で段ボール箱部に収納しようとする場合、段ボール箱部２００の位置と物品を嵌合させた物品の位置を正しく合わせることができないと、段ボール箱部に物品を収納するまでの間、この物品を持ち上げ続けていなければならず、梱包作業に多大な労力が掛かってしまい、梱包作業の効率が悪化してしまう。
【００１０】
本発明は、物品を梱包する梱包部材において、上面及び／又は側面から荷重が加わっても箱部が変形することを低コストで防止することができると共に、物品を簡単に段ボール箱部へ収納することができる梱包部材を提供することを目的とする。
【課題を解決するための手段】
【００１１】
本願の請求項１記載の発明は、物品を梱包する梱包部材において、段ボール板を折り曲げることによって直方体に形成された段ボール箱部と、物品を保持し前記段ボール箱部に収納される弾性体とを備え、前記段ボール箱部は、対向する側面を内側に押圧することによって内側に突出する突起部となる部分を側面に備えると共に当該突起部の形状を保持する保持手段を備えることを特徴とする。
【００１２】
本願の請求項２記載の発明は、請求項１記載の梱包部材において、前記保持手段は、両面接着テープであることを特徴とする。
【００１３】
本願の請求項３記載の発明は、請求項１記載の梱包部材において、前記保持手段は、着脱自在なテープ部材であることを特徴とする。
【発明の効果】
【００１４】
本発明によれば、物品を梱包する梱包部材において、上面及び／又は側面から荷重が加わっても箱部が変形することを低コストで防止することができると共に、物品を簡単に段ボール箱部へ収納することができる梱包部材を提供することができる。
【発明を実施するための最良の形態】
【００１５】
本発明の実施例を図面を参照して説明する。
【００１６】
図１は、本発明の梱包部材の一実施例を示す斜視図である。
本実施例の梱包部材１は、段ボール箱部２及び２つの弾性体５ａ、５ｂを備える。
【００１７】
図１に示すように、段ボール箱部２は、段ボール板を折りたたみ組み立てることにより上面が開口した直方体の箱を形成し、直方体の前面、後面、右側面及び左側面（４側面）を形成する４つの側面板３ａ〜３ｄを備える。側面板３ａ及び側面板３ｃの上端辺には、それぞれの上端辺を軸に折り曲げることができる上面外フラップ３１ａ及び上面外フラップ３１ｂを備える。側面板３ｂ及び側面板３ｄの上端辺には、それぞれの上端辺を軸に折り曲げることができる上面内フラップ３２ａ及び上面内フラップ３２ｂを備える。上面外フラップ３１ａ及び上面外フラップ３１ｂは、双方を内側に略直角に折り曲げると、互いに当接又は近接し段ボール箱部２の上方への開口を塞ぐ。
【００１８】
弾性体５ａ、５ｂは、直方体を形成する発泡スチロール材から成り、一側面に凹部５０ａ、５０ｂを備える。凹部５０ａ、５０ｂの上下の高さ及び左右の幅は、物品８の上下の高さ及び左右の幅より僅かに大きい。
【００１９】
図２は、本実施例の段ボール箱部２を構成する段ボール板の展開図で、図２（ａ）は上面図、図２（ｂ）は図２（ａ）の側面図である。図２（ｂ）に示す側面図においては、上面を段ボール板の表面とし、下面を段ボール板の裏面として説明する。
段ボール箱部２を構成する段ボール板は、図２に示すように、長方形を形成し、箱状に組み立てた場合に前面、後面、右側面及び左側面の４側面となる側面板３ａ〜３ｄが段ボール板の裏面に垂直に形成された３つの溝６０１ｂ〜６０１ｄを介して連結されている。
【００２０】
側面板３ａ及び側面板３ｃの上端辺には、それぞれ上面外フラップ３１ａ及び上面外フラップ３１ｂが段ボール板の裏面に形成された溝６０１ｅを介して連結され、側面板３ｂ及び側面板３ｄの上端辺には、それぞれ上面内フラップ３２ａ及び上面内フラップ３２ｂが段ボール板の裏面に形成された溝６０１ｅを介して連結されている。側面板３ａ及び側面板３ｃの下端辺には、それぞれ底面外フラップ３３ａ及び底面外フラップ３３ｂが段ボール板の裏面に形成された溝６０１ｆを介して連結され、側面板３ｂ及び側面板３ｄの下端辺には、それぞれが段ボール板の裏面に形成された底面内フラップ３４ａ及び底面内フラップ３４ｂが溝６０１ｅを介して連結されている。側面板３ａの左側端辺には、細長い略長方形を形成したのりしろ３５が溝６０１ａを介して連結されている。
【００２１】
上面外フラップ３１ａ、側面板３ａ及び底面外フラップ３３ａの表面の略中央には、図２（ａ）に示すように、垂直方向に形成された溝６０２ａを備え、上面外フラップ３１ｂ、側面板３ｃ及び底面外フラップ３３ｂの表面の略中央には、垂直方向に形成された溝６０２ｂを備える。上面外フラップ３１ａ、側面板３ａ及び底面外フラップ３３ａの裏面には、溝６０２ａを軸として左右対称となる位置に溝６０３ａ及び溝６０３ｂを備え、上面外フラップ３１ｂ、側面板３ｃ及び底面外フラップ３３ｂの裏面には、溝６０２ｂを軸として左右対称となる位置に溝６０３ｃ及び溝６０３ｄを備える。上面外フラップ３１ａ及び上面外フラップ３１ｂは、略中央の下部にそれぞれ孔３１１ａ及び孔３１１ｂを備え、底面外フラップ３３ａ及び底面外フラップ３３ｂは、略中央の上部にそれぞれ孔３３１ａ及び孔３３１ｂを備える。上面外フラップ３１ａ、側面板３ａ及び底面外フラップ３３ａの表面には、溝６０３ａと溝６０２ａの間となる位置に両面接着テープ４ａ〜４ｃが貼付され、上面外フラップ３１ｂ、側面板３ｃ及び底面外フラップ３３ｂの表面には、溝６０３ｃと溝６０２ｂの間となる位置に両面接着テープ４ｄ〜４ｆが貼付されている。
【００２２】
次に、図２（ａ）及び図２（ｂ）に示した段ボール板を組み立てる手順について説明する。
【００２３】
図２（ａ）及び図２（ｂ）に示した段ボール板を組み立てる場合は、先ず、溝６０１ａ〜溝６０１ｄに沿ってのりしろ３５及び側面板３ａ〜側面板３ｄをそれぞれ略直角に折り曲げる。次に、のりしろ３５の表面に図示しない接着剤を塗布した後、のりしろ３５の表面を側面板３ｄの裏面の右端部に接着させ、側面板３ａと側面板３ｄを連結する。次に、溝６０１ｆに沿って底面内フラップ３４ａ及び底面内フラップ３４ｂを略直角に折り曲げた後、底面外フラップ３３ａ及び底面外フラップ３３ｂを略直角に折り曲げる。次に、接着テープを底面外フラップ３３ａ、底面外フラップ３３ｂ及び側面板３に亘って貼付する。これにより、図２（ａ）及び図２（ｂ）に示した段ボール板は、図１に示すように、上方が開口した段ボール箱部２に組み立てられた状態となる。
【００２４】
図３は、本実施例の梱包部材１へ物品８を梱包する状態を示す斜視図で、図３（ａ）は弾性体５ａ、５ｂの凹部５０ａ、５０ｂに嵌合させた物品８を段ボール箱部２の内部に収納しようとする状態を示す図、図３（ｂ）は段ボール箱部２の内部に物品８を収納した後に側面板３を内側に押圧した状態を示す図である。
【００２５】
梱包部材１へ物品８を梱包する場合は、図３（ａ）に示すように、先ず、物品８の右側面及び左側面に弾性体５ａ、５ｂの凹部５０ａ、５０ｂを嵌合させる。次に、段ボール箱部２の上面外フラップを開口させた状態とし、段ボール箱部２の上方から物品８を弾性体５ａ及び弾性体５ｂと共に段ボール箱部２の内部に収納する。
【００２６】
次に、図３（ｂ）に示すように、側面板３ｂ及び側面板３ｄを内側に押圧する。すると、上面外フラップ３１ａ、側面板３ａ及び底面外フラップ３３ａは、側面板３ｂ及び側面板３ｄを内側に押圧する力によって、図２に示す溝６０３ａ、溝６０３ｂ及び溝６０２ａに沿って折り曲げられる。また、上面外フラップ３１ｂ、側面板３ｃ及び底面外フラップ３３ｂは、側面板３ｂ及び側面板３ｄを内側に押圧する力によって、図２に示す溝６０３ｃ、溝６０３ｄ及び溝６０２ｂに沿って折り曲げられる。このことにより、上面外フラップ３１ａ、上面外フラップ３１ｂ、側面板３ａ、側面板３ｃ、底面外フラップ３３ａ及び底面外フラップ３３ｂには、それぞれ内側に突出する突起部９ａ〜突起部９ｆが形成される。
【００２７】
突起部９ａ及び突起部９ｂの高さは、予め、図３に示す弾性体５の上面から物品８の上面までの高さより小さくなるようにし、突起部９ｅ及び突起部９ｆの高さは、予め、弾性体５ａ、５ｂの裏面から物品８の裏面までの高さより小さくなるようにする。また、突起部９ｂの高さは、予め、弾性体５ａ、５ｂの前面から物品８の前面までの高さより小さくなるようにし、突起部９ｃの高さは、予め、弾性体５ａ、５ｂの後面から物品８の後面までの高さより小さくなるようにする。
【００２８】
図３（ｂ）に示すように、それぞれの突起部９ａ〜９ｆは、図２（ａ）に示す、段ボール板の表面に貼付された両面接着テープ４によって、溝６０２ａ、６０２ｂを軸として突起部９ａ〜９ｆを形成する段ボール板の表面同士が接着し、それぞれの突起部９ａ〜９ｆの形状が保持された状態となる。
【００２９】
次に、上面内フラップ３２ａ及び上面内フラップ３２ｂを溝６０１ｅに沿って内側に折り曲げる。次に、図示しない接着テープを上面外フラップ３１ａ、上面外フラップ３１ｂ及び側面板３ａに亘って貼付する。
以上により、梱包部材１は、弾性体５ａ及び弾性体５ｂと共に物品８を梱包する。
【００３０】
本実施例の梱包部材１は、段ボール箱部２の内部に形成された突起部９ｃ及び突起部９ｄが段ボール箱部２の上方からの力を支持する。これにより、他の梱包部材を上面外フラップ３１の上面に何段にも積み重ねて段ボール箱部２を長時間保存した場合でも、突起部９ｃ及び突起部９ｄの支持力により、段ボール箱部２が変形してしまうことを防止することができる。また、段ボール箱部２の側面から加重が加わった状態で長時間保存した場合でも、突起部９ａ〜突起部９ｆの支持力により、段ボール箱部２が変形してしまうことを防止することができる。更に、例えば、上面が段ボール箱部２の側面板３ａの面となるように段ボール箱部２を傾けた状態で、側面板３ａの上面に他の梱包部材を何段にも積み重ねた場合でも、段ボール箱部２の内部に形成された突起部９ａ〜突起部９ｆの支持力によって、段ボール箱部２が変形してしまうことを防止することができる。
【００３１】
本実施例の梱包部材１は、図３（ｂ）に示すように、段ボール箱部２の内側に突起部９ａ〜９ｆが形成された状態での側面板３ｂの内壁から側面板３ｄの内壁までの長さＣを、図３（ａ）に示すように、弾性体５ａ、５ｂを物品８に嵌合させた状態での弾性体５ａ、５ｂの左側面から右側面までの長さＡよりも僅かに小さくしておくことによって、物品８を段ボール箱部２の内部に収納しようとする際の側面板３ｂの内壁から側面板３ｄの内壁までの長さＢは、前述した弾性体５ａ、５ｂの左側面から右側面までの長さＡよりも長くなる。このことにより、弾性体５ａ、５ｂを嵌合させた物品８を段ボール箱部２の上方から段ボール箱部２へ収納させようとする場合、左右の弾性体５ａ及び弾性体５ｂの側面を把持した状態のまま、物品８を段ボール箱部２の内部にスムーズに収納することが可能となる。このことにより、弾性体５ａ、５ｂの外端が段ボール箱部２の上端に引っ掛かってしまい、段ボール箱部２の内部に物品８を収納するのが困難となってしまうことを防止することができ、梱包作業の効率を向上させることができる。
【００３２】
本実施例の梱包部材１は、上面外フラップ３１ａ、上面外フラップ３１ｂ、側面板３ａ、側面板３ｄ、底面外フラップ３３ａ及び底面外フラップ３３ｂにそれぞれ突起部９ａ〜突起部９ｆを備える構成としたが、上面内フラップ３２ａ、上面内フラップ３２ｂ、側面板３ｂ、側面板３ｃ、底面内フラップ３４ａ及び底面内フラップ３４ｂにもそれぞれ突起部を備える構成としても良い。この場合、上面内フラップ３２ａ、上面内フラップ３２ｂ、側面板３ｂ、側面板３ｃ、底面内フラップ３４ａ及び底面内フラップ３４ｂにも溝６０２ａ、６０２ｂ、溝６０３ａ〜溝６０３ｄと同様の溝及び両面接着テープ４を備える構成とし、物品８を段ボール箱部２の内部に収納した後、側面板３ａ及び側面板３ｃを内側に押圧させてぞれぞれの側面板に内側に突出する突起部を形成させる構成とする。このことによって、梱包部材１をどのように傾けて載置し、他の梱包部材を何段にも積み重ねて長時間保存した場合でも段ボール箱１が変形してしまうことを防止することができる。
【００３３】
本実施例の梱包部材１は、突起部９ａ〜突起部９ｆの突起を保持する手段として両面接着テープ４を用いたが、両面接着テープの代わりに着脱自在なテープ部材を用いても良い。このことにより、物品を梱包した段ボール箱部から物品を取り出す場合、側面板３ｂ及び側面板３ｄを外側に引っ張ることによって、側面板３ｂの内壁から側面板３ｄの内壁までの長さが長くなり、段ボール箱部２の内部に収納された物品８を容易に取り出すことが可能となる。よって、梱包部材１へ物品８を容易に梱包することができると共に、梱包部材１に梱包された物品８を容易に取り出すことができる。
【図面の簡単な説明】
【００３４】
【図１】本発明の梱包部材の一実施例を示す斜視図。
【図２】本実施例の段ボール箱部２を構成する段ボール板の展開図で、図２（ａ）は上面図、図２（ｂ）は図２（ａ）の側面図。
【図３】本実施例の梱包部材１によって物品８を梱包する状態を示す斜視図。
【図４】従来の梱包部材の一例を示す斜視図。
【符号の説明】
【００３５】
１  梱包部材、２  段ボール部、３  側面板、
３１  上面外フラップ、３２  上面内フラップ、３３  底面外フラップ、
３４  底面内フラップ、３５  のりしろ、４  両面接着テープ、
５  弾性体、５０  凹部、６０１  溝、６０２  溝、６０３  溝、
８  物品、９  突起部、
１００  梱包部材、２００  段ボール箱部、３００  側面板、
３１０  外フラップ、３２０  内フラップ、３５０  のりしろ
【図１】
2006143317.tif 000003
【図２】
2006143317.tif 000004
【図３】
2006143317.tif 000005
【図４】
2006143317.tif 000006